(57)【特許請求の範囲】
【請求項１】
容器口部と扁平な胴部と底部とからなる透明な扁平ボトルにおいて、
扁平胴部に、裏面に風景または図柄を印刷したラベルを貼着し、前記風景または図柄に適合した造形品を取着した透明な取付板を容器内に入れ、該取付板を容器口部内周に係合させ、容器口部と底部との間に保持するようにしたことを特徴とする造形品封入容器。
【請求項２】
取付板が、可撓性を有する透明な合成樹脂フィルムから形成され、容器口部に係合する嵌合部と、該嵌合部からＴ字形に垂下し容器底部に達する長さの取付部からなっていることを特徴とする請求項１記載の造形品封入容器。
【請求項３】
造形品の両端、または造形品取付部の十字形に延びる横板の両端が、胴部壁面に接合するようにしたことを特徴とする請求項１記載の造形品封入容器。
【発明の詳細な説明】
【０００１】
【発明の属する技術分野】
本発明は、造形品封入容器とくに内容液中に動物、植物類、各種キャラクター等の形象を絵付けした造形品を封入し、外部から鑑賞するようにした造形品封入容器に関する。
【０００２】
【従来の技術】
容器内に造形品を封入し、外部から鑑賞することは、従来より知られており、また、容器の表面に、裏面に風景を印刷したラベルを貼着し、容器の反対側から内容液を通じて印刷された風景を鑑賞し、楽しめるようにした容器も従来より知られている。
【０００３】
【発明が解決しようとする課題】
しかしながら、上記二つの従来技術を結合し、ラベルに印刷された風景に適合した造形品を容器内に封入して立体的な絵柄、装飾としたものはなかった。
さらに、これを化粧料等日常的に使用する透明な内容液を収納する容器に適用し、容器を使用する度に立体的な絵柄、装飾を楽しめるようにした容器はなかった。
とくに、資源の節約から、内容液を詰め替え、容器を長期的に使用するようになると、日常的に同じ容器を使っていては、面白味がないというようなことも生じてきた。
【０００４】
本発明は、上記事情を考え、日常的に使用する化粧液や飲料水等の容器の胴部に、裏面に風景または図柄を印刷したラベルを貼着し、内部に造形品を封入し、背景となる風景または図柄と造形品とからなる立体的な絵柄、装飾を楽しめるようにした造形品封入容器を提供することを目的とする。
【０００５】
【課題を解決するための手段】
本発明は、上記の技術的課題を達成するため、造形品封入容器として、容器口部と扁平な胴部と底部とからなる透明な扁平ボトルにおいて、扁平胴部に、裏面に風景または図柄を印刷したラベルを貼着し、前記風景または図柄に適合した造形品を取着した透明な取付板を容器内に入れ、該取付板を容器口部内周に係合させ、容器口部と底部との間に保持するようにしたことを特徴とする構成を採用する。
【０００６】
取付板として、可撓性を有する透明な合成樹脂フイルムから形成され、容器口部に係合する嵌合部と、該嵌合部からＴ字形に垂下し容器底部に達する長さの取付部からなっていることを特徴とする構成を採用する。
また、造形品の両端、または造形品取付部の十字形に延びる横板の両端が、胴部壁面に接合するようにしたことを特徴とする構成を採用する。
【０００７】
【発明の実施の形態】
次に、本発明の実施形態について、図面を参照して説明する。
図１において、Ａは容器であって、透明な合成樹脂またはガラスを素材として成形されている。
Ｂはキャップ、Ｃは容器内に封入された装飾部材で、いずれも合成樹脂で成形されている。
【０００８】
容器Ａは、口部１と胴部２、底部３とからなっており、口部１には、キャップ螺着用のネジ４と保持環５が形成されている。
【０００９】
図２に示すように、胴部２は、扁平な楕円形であり、対向する胴部２の扁平面２ａ，ｂの一方には、表面に製品名、使用法、製造会社名等を印刷し、裏面に山野、河、森、林、草木などの風景または図柄を印刷したラベルＬを貼着している。
内容液として、化粧水、毛髪用液等透明な化粧用液あるいは透明な飲料水が収納される。
【００１０】
キャップＢは、側壁内周にネジ４に螺合するネジが設けられており、口部１に被蓋される。
【００１１】
図３に示すように、装飾部材Ｃは、嵌合部１０と取付部１１とからなるＴ字形の取付板１２と取付部１１に取着された造形品１３とからなっている。
取付板１２は、透明で可撓性を有するＰＥＴその他の合成樹脂製のフィルムを打ち抜いて作成されている。
【００１２】
造形品１３は、実施例にはワニを図示しているが、動物類や花等の形象、各種キャラクター等、ラベル裏面に印刷した風景または図柄に対応する形象、図柄を採用したものであり、取付部１１の所定個所に貼着する。
また、形象をフィルムに印刷し、その輪郭を取付板１２とともに型によって打ち抜き、造形品１３と一体となった取付板１２を形成してもよい。
【００１３】
嵌合部１０の長さは、口部１内周の周長にほぼ一致するようにし、取付部１１の長さは、口部１内周下端から容器の底部３の壁面までとしている。
図２に示されているように、造形品１３の横巾は、胴部内に封入されたときに両端１３ａが胴部壁面に接合し、維持されるだけの長さを有しており、上下方向の位置は背景に応じて適宜に決める。
【００１４】
装飾部材Ｃの挿入にあたって、造形品１３は可撓性を有しているので、丸め込んだ状態で口部１を通過させ、胴部２に達すると元の状態に復元する。
次いで、嵌合部１０を丸めて口部１に挿入し、取付部１１の下端が底部壁面に達するまで押し込むと、嵌合部１０下端が口部１下端部に位置する。
【００１５】
嵌合部１０を自由な状態とすると、嵌合部１０は復元して口部１内周に一定の力を持って接圧し、造形品１３、取付板１２の廻動を阻止することになる。
その際、取付部１１も嵌合部１０の変形に応じて円弧状となり、上下方向の屈曲に対する強度を増し、さらに造形品１３の端部は胴部２壁面に接合するので、造形品１３は、容器Ａ内にしっかりと保持されることになる。
【００１６】
液体を入れると、ラベルＬ裏面の風景または図柄、造形品１３は、立体的な絵柄、装飾となり、液のレンズ作用で拡大されて見え、とくに風景は拡がって見えるので、幻想的な感じを与えることとなる。
そして、取付板１２の取付部１１は透明であるので、風景の妨げにならず、風景と造形品１３との間で違和感を感じさせない。
【００１７】
前記実施形態では、造形品の端部を胴部内面に接触させ、定位置に保持できるようにしたが、図４に示すように取付部１１ａを十字形１４とし、その横板の両端部１４ａを胴部２壁面に接合させるようにすると、造形品の横巾を短くすること、大きさを小さくすることができる。
また、内容液によっては、印刷インキが溶けることもあるので、その場合は、印刷面にＰＥＴフィルムを重ねて周辺を溶着するようにしてもよい。
【００１８】
前記実施形態では、造形品について絵画等の平面的な形象としたが、背景となる風景または図柄に適合するものであれば立体的な造形品としてもよい。
【００１９】
【発明の効果】
本発明は、上記のように構成されているから、次の効果を奏する。
容器胴部に貼着したラベルの裏面に印刷した風景または図柄に適合した造形品を容器内に封入したことによって、立体的な絵柄、装飾を楽しむことができるようになった。
【００２０】
取付板をＰＥＴその他の可撓性を有するフィルムによって形成し、嵌合部を口部内周に係合させるようにしているから、造形品を容器中に確実に保持できるようになった。
【００２１】
そして、背景に適合した造形品を２，３取りそろえることによって、内容液の詰め替え時に造形品を取り替えることができ、それによって変わった絵柄、装飾を楽しむことができる。
【図面の簡単な説明】
【図１】本発明の容器の断面正面図である。
【図２】容器胴部の断面平面図である。
【図３】取付板の正面図である。
【図４】別実施例の取付板の正面図である。
【符号の説明】
Ａ        容器
Ｂ        キャップ
Ｃ        装飾部材
Ｌ        ラベル
１        口部
２        胴部
２ａ，ｂ  扁平面
３        底部
１０      嵌合部
１１      取付部
１２      取付板
１３      造形品
【図１】
0003923202.tif 000002
【図２】
0003923202.tif 000003
【図３】
0003923202.tif 000004
【図４】
0003923202.tif 000005